(57)【要約】【課題】パイプからのオイルを給油孔に安定して送ることのできる動力伝達装置の潤滑構造を提供する。【解決手段】動力伝達部材と、動力伝達部材を回転可能に支持する軸受とを収容するケース２２を備えた動力伝達装置のケース２２内において、軸受にオイルを供給するための給油孔を有し、機械式オイルポンプから吐出されたオイルを、パイプ３２を介して給油孔に送るように構成された動力伝達装置の潤滑構造であって、パイプ３２の先端部は、ケース２２の内壁面４２に対向して開口しており、パイプ３２の先端よりも基端側には、オイルを先端部の延伸方向に吐出するための吐出孔４６が設けられ、吐出孔４６よりも先端側には、オイルを給油孔の位置する下側に流出させるための切欠が設けられている。【選択図】図３
2020045976.tif 000002
【特許請求の範囲】
【請求項１】
動力伝達部材と、前記動力伝達部材を回転可能に支持する軸受とを収容するケースを備えた動力伝達装置の前記ケース内において、前記軸受にオイルを供給するための給油孔を有し、機械式オイルポンプから吐出されたオイルを、パイプを介して前記給油孔に送るように構成された動力伝達装置の潤滑構造であって、
前記パイプの先端部は、前記ケースの内壁面に対向して開口しており、前記パイプの先端よりも基端側には、オイルを前記先端部の延伸方向に吐出するための吐出孔が設けられ、前記吐出孔よりも先端側には、オイルを前記給油孔の位置する下側に流出させるための切欠が設けられていることを特徴とする動力伝達装置の潤滑構造。
【発明の詳細な説明】
【技術分野】
【０００１】
本発明は、例えば車両などに備わる動力伝達装置の潤滑構造に関するものである。
【背景技術】
【０００２】
従来、エンジンと電動機とを動力源としたハイブリッド車両に搭載される動力伝達装置として、各種ギヤやデファレンシャル装置をケース内に一括して組み込んだトランスアクスルが知られている（例えば、特許文献１を参照）。特許文献１のトランスアクスルでは、ケースの下部に溜められたオイルを機械式オイルポンプで吸い上げて、パイプ等を通じてケース内のデファレンシャル装置の給油孔に潤滑用オイルとして供給するようになっている。
【先行技術文献】
【特許文献】
【０００３】
【特許文献１】特開２０１７−０４７７３２号公報
【発明の概要】
【発明が解決しようとする課題】
【０００４】
しかしながら、上記の従来の特許文献１のように、オイルをパイプから直接的に給油孔に送るようにした場合、機械式オイルポンプの高回転時において、パイプから吐出されるオイルの流速が高いため、オイルがケースの内壁面等に衝突して飛散してしまい、オイルを給油孔に安定して送り込むことができないという問題があった。このため、オイルを給油孔に安定して送ることのできる技術が求められていた。
【０００５】
本発明は、上記に鑑みてなされたものであって、パイプからのオイルを給油孔に安定して送ることのできる動力伝達装置の潤滑構造を提供することを目的とする。
【課題を解決するための手段】
【０００６】
上記した課題を解決し、目的を達成するために、本発明に係る動力伝達装置の潤滑構造は、動力伝達部材と、前記動力伝達部材を回転可能に支持する軸受とを収容するケースを備えた動力伝達装置の前記ケース内において、前記軸受にオイルを供給するための給油孔を有し、機械式オイルポンプから吐出されたオイルを、パイプを介して前記給油孔に送るように構成された動力伝達装置の潤滑構造であって、前記パイプの先端部は、前記ケースの内壁面に対向して開口しており、前記パイプの先端よりも基端側には、オイルを前記先端部の延伸方向に吐出するための吐出孔が設けられ、前記吐出孔よりも先端側には、オイルを前記給油孔の位置する下側に流出させるための切欠が設けられていることを特徴とする。
【発明の効果】
【０００７】
本発明に係る動力伝達装置の潤滑構造によれば、パイプの吐出孔から吐出されるオイルの流速が低いときには、オイルが吐出孔から切欠を介して給油孔に送られる一方、パイプの吐出孔から吐出されるオイルの流速が高いときには、オイルはケースの内壁面に衝突して飛散するが、この飛散したオイルはパイプの先端部によって捕集されて切欠を介して給油孔に送られる。切欠からは、流速の低いオイルが給油孔に向けて送られることになるため、機械式オイルポンプの回転速度に係らずオイルを給油孔に安定して送ることができる。
【図面の簡単な説明】
【０００８】
【図１】図１は、本発明の実施の形態が適用される動力伝達装置の要部構成図である。
【図２】図２は、本発明の実施の形態に係る動力伝達装置の潤滑構造のオイルの流れを示す概略ブロック図である。
【図３】図３は、本発明の実施の形態に係る動力伝達装置の潤滑構造におけるパイプの先端部の側断面図である。
【図４】図４は、図３のＡ−Ａ線に沿った断面図である。
【発明を実施するための形態】
【０００９】
以下に、本発明に係る動力伝達装置の潤滑構造の実施の形態を図面に基づいて詳細に説明する。なお、この実施の形態によりこの発明が限定されるものではない。
【００１０】
まず、本発明の実施の形態が適用される動力伝達装置について説明する。
図１に示すように、この動力伝達装置１０は、ハイブリッド型自動車の駆動力源であるエンジン１２の出力を駆動輪１４に伝達するための動力伝達機構１６（トランスアクスル）を備える。
【００１１】
この動力伝達機構１６は、減速歯車装置１８、デファレンシャル装置２０（動力伝達部材）、図示しない複数のギヤ機構を有しており、ケース内２２に収容されている。デファレンシャル装置２０は、車両下側に位置しており、ケース２２に設けられたベアリング２４（軸受）によって回転可能に支持される。
【００１２】
このケース内２２には、オイルポンプＰに加え、ハイブリッド型自動車の走行用駆動力源として用いられる図示しない電動モータも収容されている。この動力伝達装置１０では、エンジン１２および図示しない電動モータからの駆動力が、複数のギヤ機構、減速歯車装置１８、デファレンシャル装置２０を介してドライブシャフト２６に分配され、駆動輪１４に伝達されるようになっている。
【００１３】
オイルポンプＰは、ポンプ駆動歯車２８とデフリングギヤ３０を介してデファレンシャル装置２０に連結されており、デファレンシャル装置２０によって機械的に回転駆動される機械式オイルポンプである。オイルポンプＰは、ケース２２内の図示しないパイプに接続されており、このパイプを介してベアリング２４を含む動力伝達機構１６の各部を潤滑するようになっている。
【００１４】
次に、本発明の実施の形態に係る動力伝達装置の潤滑構造について説明する。
図２に示すように、本実施の形態に係る動力伝達装置の潤滑構造１００は、オイルポンプＰから吐出される潤滑用のオイルを圧送するパイプ３２と、このパイプ３２から供給されるオイルをベアリング２４に送り込むための給油孔３４を備えている。
【００１５】
オイルポンプＰは、ケース２２の底部に設けられたオイル貯留部３６からオイル３８を吸入して、パイプ３２へ圧送する。オイル貯留部３６は、ケース２２そのものによって構成されており、デファレンシャル装置２０の下方に位置している。オイルポンプＰの吸入口４０はオイル貯留部３６内に配置されている。上述したように、オイルポンプＰはデファレンシャル装置２０に連結されて回転駆動されるため、車速に応じた吸入量でオイルを吸入して給油孔３４にオイルを供給することができる。このため、車速は、オイルポンプＰのポンプ回転速度に対応し、オイルポンプＰからのオイル吐出量に対応する。
【００１６】
パイプ３２は、ベアリング２４の給油孔３４にオイルを供給するための油路であり、オイルポンプＰの吐出側に接続されている。このパイプ３２は、ケース２２とは別体に構成され、ボルト等の締結部材によってケース２２の内壁面等に固定されている。
【００１７】
図３は、パイプ３２の先端部の側断面図、図４は、図３のＡ−Ａ線に沿った断面図である。これらの図において、図の上下方向が車両上下方向である。これらの図に示すように、側方向に突出するパイプ３２の先端部には、ケース２２の側壁面４２（内壁面）に対向して開口した円筒状のノズル４４が形成されている。このノズル４４の先端よりも基端側には、オイルをケース２２の側壁面４２に向けて側方向（図３の右方向）に吐出するための吐出孔４６が設けられている。吐出孔４６はノズル４４の基端側に設けた円板４８の中心に設けられる。この吐出孔４６よりもノズル４４の先端側の下部には、オイルを給油孔３４の位置する下側に流出させるための切欠５０が設けられている。
【００１８】
上記構成の動作および作用について説明する。
パイプ３２の吐出孔４６から吐出されるオイルの流速が低いときには、オイルが吐出孔４６から切欠５０を介して給油孔３４に送られる。一方、パイプ３２の吐出孔４６から吐出されるオイルの流速が高いときには、オイルはケース２２の側壁面４２に衝突して飛散するが、この飛散したオイルはノズル４４によって捕集されて切欠５０を介して給油孔３４に送られる。切欠５０からは、流速の低いオイルが給油孔３４に向けて緩やかに送られることになるため、オイルポンプＰの回転速度に係らずオイルを給油孔３４に安定して送ることができる。
【００１９】
このように、本実施の形態によれば、パイプ３２の吐出孔４６からベアリング２４の給油孔３４に至るまでのオイルの流速を低減することが可能である。このため、オイルポンプＰが高回転駆動してもパイプ３２からのオイルを安定して給油孔３４ヘ送ることができる。また、オイルポンプＰに減速機構を付加することなくオイルの流速を下げることが可能なため、減速機構の付加によるコスト上昇を回避することができる。
【符号の説明】
【００２０】
１０  動力伝達装置
１２  エンジン
１４  駆動輪
１６  動力伝達機構
１８  減速歯車装置
２０  デファレンシャル装置（動力伝達部材）
２２  ケース
２４  ベアリング（軸受）
２６  ドライブシャフト
２８  ポンプ駆動歯車
３０  デフリングギヤ
３２  パイプ
３４  給油孔
３６  オイル貯留部
３８  オイル
４０  吸入口
４２  側壁面（内壁面）
４４  ノズル
４６  吐出孔
４８  円板
５０  切欠
１００  動力伝達装置の潤滑構造
Ｐ  オイルポンプ
【図１】
2020045976.tif 000003
【図２】
2020045976.tif 000004
【図３】
2020045976.tif 000005
【図４】
2020045976.tif 000006